(57)【要約】【課題】間隔を開けて対向させた２枚の櫛歯板部３（２３・２４）と、前記２枚の櫛歯板部の間に張設され、前記２枚の櫛歯板部の櫛歯に梳き入れた体毛に接触するとともに通電されることで赤熱して体毛を焼き切る電熱線と、を有する体毛処理具１について、今までのものには無い有効な機能を具備し、また使い勝手を向上させたものを提供する。【解決手段】前記２枚の櫛歯板部３（２３・２４）の内部と櫛歯板部の前方を照明する照明手段を具備させたこと、また少なくとも前記２枚の櫛歯板部に振動を与える振動発生手段を具備させたこと。【選択図】図３
2006068484.tif 000002
【特許請求の範囲】
【請求項１】
間隔を開けて対向させた２枚の櫛歯板部と、前記２枚の櫛歯板部の間に張設されていて、前記２枚の櫛歯板部の櫛歯に梳き入れた体毛に接触するとともに通電されることで赤熱して体毛を焼き切る電熱線と、前記２枚の櫛歯板部の内部と前方を照明する照明手段と、を有することを特徴とする体毛処理具。
【請求項２】
間隔を開けて対向させた２枚の櫛歯板部と、前記２枚の櫛歯板部の間に張設されていて、前記２枚の櫛歯板部の櫛歯に梳き入れた体毛に接触するとともに通電されることで赤熱して体毛を焼き切る電熱線と、少なくとも前記２枚の櫛歯板部に振動を与える振動発生手段と、を有することを特徴とする体毛処理具。
【請求項３】
間隔を開けて対向させた２枚の櫛歯板部と、前記２枚の櫛歯板部の間に張設されていて、前記２枚の櫛歯板部の櫛歯に梳き入れた体毛に接触するとともに通電されることで赤熱して体毛を焼き切る電熱線と、前記２枚の櫛歯板部の内部と前方を照明する照明手段と、少なくとも前記２枚の櫛歯板部に振動を与える振動発生手段と、を有することを特徴とする体毛処理具。
【請求項４】
体毛処理具基体に下側櫛歯板部と上側櫛歯板部として上下に間隔を開けて対向させてほぼ水平に配設した２枚の櫛歯板部と、前記２枚の櫛歯板部の間に張設されていて、前記２枚の櫛歯板部の櫛歯に梳き入れた体毛に接触するとともに通電されることで赤熱して体毛を焼き切る電熱線と、前記体毛処理具基体から上方に隆起しているグリップ部と、を有することを特徴とする体毛処理具。
【請求項５】
体毛処理具基体に下側櫛歯板部と上側櫛歯板部として上下に間隔を開けて対向させてほぼ水平に配設した２枚の櫛歯板部と、前記２枚の櫛歯板部の間に張設されていて、前記２枚の櫛歯板部の櫛歯に梳き入れた体毛に接触するとともに通電されることで赤熱して体毛を焼き切る電熱線と、前記体毛処理具基体から上方に隆起しているグリップ部と、前記２枚の櫛歯板部の内部と櫛歯板部の前方を照明する照明手段と、を有することを特徴とする体毛処理具。
【請求項６】
体毛処理具基体に下側櫛歯板部と上側櫛歯板部として上下に間隔を開けて対向させてほぼ水平に配設した２枚の櫛歯板部と、前記２枚の櫛歯板部の間に張設されていて、前記２枚の櫛歯板部の櫛歯に梳き入れた体毛に接触するとともに通電されることで赤熱して体毛を焼き切る電熱線と、前記体毛処理具基体から上方に隆起しているグリップ部と、少なくとも前記２枚の櫛歯板部に振動を与える振動発生手段と、を有することを特徴とする体毛処理具。
【請求項７】
体毛処理具基体に下側櫛歯板部と上側櫛歯板部として上下に間隔を開けて対向させてほぼ水平に配設した２枚の櫛歯板部と、前記２枚の櫛歯板部の間に張設されていて、前記２枚の櫛歯板部の櫛歯に梳き入れた体毛に接触するとともに通電されることで赤熱して体毛を焼き切る電熱線と、前記体毛処理具基体から上方に隆起しているグリップ部と、前記２枚の櫛歯板部の内部と櫛歯板部の前方を照明する照明手段と、少なくとも前記２枚の櫛歯板部に振動を与える振動発生手段と、を有することを特徴とする体毛処理具。
【請求項８】
前記２枚の櫛歯板部はその間に張設された電熱線も含めて回転ヘッド部として縦軸部を中心に、前記体毛処理具基体に対して回転可能に構成したことを特徴とする請求項４〜７の何れか１つに記載の体毛処理具。
【請求項９】
下側櫛歯板部または上側櫛歯板部が着脱自在であることを特徴とする請求項４〜８の何れか１つに記載の体毛処理具。
【請求項１０】
下側櫛歯板部が金属のダイキャスト製であることを特徴とする請求項４〜９の何れか１つに記載の体毛処理具。
【請求項１１】
前記電熱線に対する通電回路がスイッチのオンによりオンされ、そのスイッチ−オン状態が保たれていても、スイッチ−オンから所定のタイマー時間経過後は前記電熱線に対する通電を遮断するタイマー機能を具備させたことを特徴とする請求項１〜１０の何れか１つに記載の体毛処理具。体毛処理具。
【請求項１２】
前記体毛処理具に着脱自在であり、装着されることで少なくとも前記２枚の櫛歯板部を隠蔽する保護キャップを具備させたことを特徴とする請求項１〜１１の何れか１つに記載の体毛処理具。
【発明の詳細な説明】
【技術分野】
【０００１】
本発明は、ビキニラインや腋、脚・腕などの気になるムダ毛の処理、調髪などの際に使用する体毛処理具に関する。
【背景技術】
【０００２】
例えばハイレグ水着やレオタードの着用前などのムダ毛の処理に鋏や剃刀などの刃物を用いると、切り整えた毛先は刃物による剪断のために尖鋭で、その尖り毛先が布地を容易に突き通って外側へのぞくことがあったり、また触りがいたみのあるものとなったりする。
【０００３】
そこで本出願人は、毛先に丸みをもたせて体毛を切り整えることができる体毛処理具として、電熱線（通電発熱線）で体毛を焼き切るヒートカット構成のものを発明し、実用化している（例えば、特許文献１〜１０参照）。
【０００４】
これは、５〜１０ｍｍ程度の間隔を開けて並設した２枚の櫛歯板部と、該２枚の櫛歯板部の間に配設されて櫛歯板部の櫛歯に梳き入れた体毛に接触するとともに通電されることで赤熱して該接触体毛を焼き切る電熱線、具体的にはニクロムワイヤとを基本構造とするものである。
【０００５】
体毛は赤熱状態のニクロムワイヤに接すると簡単に焼け切れる。焼き切られた体毛の毛先は刃物で剪断した場合とは異なり尖鋭とならず、丸みのあるものとなり、刃物による場合のような不具合を生じない。
【０００６】
また理髪・美容術の調髪器具として用いて有効である。即ち調髪した毛先部にニクロムワイヤ部分を接触摺動して焼き切り状態に処理することで毛先に丸みや微妙なカーブ若しくは縮れを生じさせて調髪に独特の風合いを与えることができる。
【特許文献１】実公平４−０３７５２１号公報
【特許文献２】実公平６−０１４６４９号公報
【特許文献３】登録実用新案第３００６１２５号公報
【特許文献４】特許第３１０９４５５号明細書
【特許文献５】特許第３１４７８１６号明細書
【特許文献６】意匠登録第８５７１３５号公報
【特許文献７】特開平８−２８９８１４号公報
【特許文献８】特開平９−２４８２１２号公報
【特許文献９】特開２０００−８３７２３号公報
【特許文献１０】特開２００４−１１３４７６号公報
【発明の開示】
【発明が解決しようとする課題】
【０００７】
本発明は、上記のような体毛処理具を更に発展させたものであり、今までのものには無い有効な機能を具備し、また使い勝手を向上させたものを提供することを目的としている。
【課題を解決するための手段】
【０００８】
本発明は下記の構成を特徴とする体毛処理具である。
【０００９】
（１）間隔を開けて対向させた２枚の櫛歯板部と、前記２枚の櫛歯板部の間に張設されていて、前記２枚の櫛歯板部の櫛歯に梳き入れた体毛に接触するとともに通電されることで赤熱して体毛を焼き切る電熱線と、前記２枚の櫛歯板部の内部と前方を照明する照明手段と、を有することを特徴とする体毛処理具。
【００１０】
（２）間隔を開けて対向させた２枚の櫛歯板部と、前記２枚の櫛歯板部の間に張設されていて、前記２枚の櫛歯板部の櫛歯に梳き入れた体毛に接触するとともに通電されることで赤熱して体毛を焼き切る電熱線と、少なくとも前記２枚の櫛歯板部に振動を与える振動発生手段と、を有することを特徴とする体毛処理具。
【００１１】
（３）間隔を開けて対向させた２枚の櫛歯板部と、前記２枚の櫛歯板部の間に張設されていて、前記２枚の櫛歯板部の櫛歯に梳き入れた体毛に接触するとともに通電されることで赤熱して体毛を焼き切る電熱線と、前記２枚の櫛歯板部の内部と前方を照明する照明手段と、少なくとも前記２枚の櫛歯板部に振動を与える振動発生手段と、を有することを特徴とする体毛処理具。
【００１２】
（４）体毛処理具基体に下側櫛歯板部と上側櫛歯板部として上下に間隔を開けて対向させてほぼ水平に配設した２枚の櫛歯板部と、前記２枚の櫛歯板部の間に張設されていて、前記２枚の櫛歯板部の櫛歯に梳き入れた体毛に接触するとともに通電されることで赤熱して体毛を焼き切る電熱線と、前記体毛処理具基体から上方に隆起しているグリップ部と、を有することを特徴とする体毛処理具。
【００１３】
（５）体毛処理具基体に下側櫛歯板部と上側櫛歯板部として上下に間隔を開けて対向させてほぼ水平に配設した２枚の櫛歯板部と、前記２枚の櫛歯板部の間に張設されていて、前記２枚の櫛歯板部の櫛歯に梳き入れた体毛に接触するとともに通電されることで赤熱して体毛を焼き切る電熱線と、前記体毛処理具基体から上方に隆起しているグリップ部と、前記２枚の櫛歯板部の内部と櫛歯板部の前方を照明する照明手段と、を有することを特徴とする体毛処理具。
【００１４】
（６）体毛処理具基体に下側櫛歯板部と上側櫛歯板部として上下に間隔を開けて対向させてほぼ水平に配設した２枚の櫛歯板部と、前記２枚の櫛歯板部の間に張設されていて、前記２枚の櫛歯板部の櫛歯に梳き入れた体毛に接触するとともに通電されることで赤熱して体毛を焼き切る電熱線と、前記体毛処理具基体から上方に隆起しているグリップ部と、少なくとも前記２枚の櫛歯板部に振動を与える振動発生手段と、を有することを特徴とする体毛処理具。
【００１５】
（７）体毛処理具基体に下側櫛歯板部と上側櫛歯板部として上下に間隔を開けて対向させてほぼ水平に配設した２枚の櫛歯板部と、前記２枚の櫛歯板部の間に張設されていて、前記２枚の櫛歯板部の櫛歯に梳き入れた体毛に接触するとともに通電されることで赤熱して体毛を焼き切る電熱線と、前記体毛処理具基体から上方に隆起しているグリップ部と、前記２枚の櫛歯板部の内部と櫛歯板部の前方を照明する照明手段と、少なくとも前記２枚の櫛歯板部に振動を与える振動発生手段と、を有することを特徴とする体毛処理具。
【００１６】
（８）前記２枚の櫛歯板部はその間に張設された電熱線も含めて回転ヘッド部として縦軸部を中心に、前記体毛処理具基体に対して回転可能に構成したことを特徴とする（４）〜（７）の何れか１つに記載の体毛処理具。
【００１７】
（９）下側櫛歯板部または上側櫛歯板部が着脱自在であることを特徴とする（４）〜（８）の何れか１つに記載の体毛処理具。
【００１８】
（１０）下側櫛歯板部が金属のダイキャスト製であることを特徴とする（４）〜（９）の何れか１つに記載の体毛処理具。
【００１９】
（１１）前記電熱線に対する通電回路がスイッチのオンによりオンされ、そのスイッチ−オン状態が保たれていても、スイッチ−オンから所定のタイマー時間経過後は前記電熱線に対する通電を遮断するタイマー機能を具備させたことを特徴とする（１）〜（１０）の何れか１つに記載の体毛処理具。体毛処理具。
【００２０】
（１２）前記体毛処理具に着脱自在であり、装着されることで少なくとも前記２枚の櫛歯板部を隠蔽する保護キャップを具備させたことを特徴とする（１）〜（１１）の何れか１つに記載の体毛処理具。
【発明の効果】
【００２１】
前記２枚の櫛歯板部の内部と櫛歯板部の前方を照明する照明手段を具備させたことにより、櫛歯部分で体毛をすき揃えながら、櫛歯間に入った体毛に通電赤熱状態の電熱線部分を接触させて切断する動作を明るい照明のもとで行うことができ、使い勝手を向上させることができた。
【００２２】
また、少なくとも前記２枚の櫛歯板部に振動を与える振動発生手段を具備させたことにより、櫛歯部分ですき揃えられた体毛に微細な振動を与えて、テンションを軽減して体毛の切断面を可能な限り丸くすることができる。また櫛歯部分の振動で体毛も振動して櫛歯部分での体毛のすき揃えがやりやすくなる。
【００２３】
また、前記２枚の櫛歯板部は体毛処理具基体に下側櫛歯板部と上側櫛歯板部として上下に間隔を開けて対向させてほぼ水平に配設し、体毛処理具基体から上方に隆起させてグリップを具備させた形態にすることにより、下側櫛歯板部の下面を全面的に皮膚に容易に密着させて当てて滑らせながら使用することが出来て、体毛のすき揃えがやりやすい。
【００２４】
更には、前記２枚の櫛歯板部はその間に張設された電熱線も含めて回転ヘッド部として縦軸部を中心に、前記グリップ部を含む体毛処理具基体に対して回転可能に構成することにより、前記２枚の櫛歯板部を含む回転ヘッド部を体毛処理具基体に対して回転して櫛歯部分の向きを調節できることで、体毛処理具の使い勝手が向上する。
【発明を実施するための最良の形態】
【００２５】
以下、図面に示した実施例の体毛処理具について説明する。
【実施例１】
【００２６】
図１は保護キャップを装着した状態の体毛処理具の外観斜視図である。１は体毛処理具、２はこの体毛処理具１に装着した保護キャップである。本実施例の体毛処理具１は後述するように、体毛処理具基体に下側櫛歯板部と上側櫛歯板部として上下に間隔を開けて対向させてほぼ水平に配設した２枚の櫛歯板部と、前記２枚の櫛歯板部の間に張設されていて、前記２枚の櫛歯板部の櫛歯に梳き入れた体毛に接触するとともに通電されることで赤熱して体毛を焼き切る電熱線と、前記体毛処理具基体から上方に隆起しているグリップ部と、を有する形態の体毛処理具である。３が下側櫛歯板部と上側櫛歯板部として上下に間隔を開けて対向させてほぼ水平に配設した２枚の櫛歯板部（以下、櫛歯部分と記す）である。４が上方に隆起しているグリップ部である。
【００２７】
保護キャップ２は体毛処理具１の不使用時に体毛処理具１の上記櫛歯部分３の保護と清潔を保つために装着され、櫛歯部分３を完全に覆うものである。保護キャップ装着状態においては、体毛処理具１と保護キャップ２の全体が１つの形状となり、櫛歯部分３は隠蔽されてまったく見えないようになる。使用時には体毛処理具１から保護キャップ２を抜き外す。図２は体毛処理具１から保護キャップ２を抜き外した状態を示している。
【００２８】
本実施例の体毛処理具１は電源として商用交流電源を利用し、商用交流電源と体毛処理具１とを電源アダプター（ＡＣ−ＤＣ変換・電圧降下器）を介してコード接続して体毛処理具１に給電する外部電源方式としている。
【００２９】
図３において、１０１は電源アダプターであり、商用交流電源のコンセント（不図示）に差し込まれる。１０２は電源アダプター１０１の出力コード、１０３はこの出力コード１０２の先端部の出力プラグである。この出力プラグ１０３を体毛処理具１のグリップ部４の背面側に設けた差し込み穴部５（図４）からグリップ部４の内部に配設した後述する電気回路基板側の受電ソケット１３（図７）に差し込む。これにより体毛処理具１と商用交流電源とが電気的に接続される。
【００３０】
そして、図３の２点鎖線示のように、体毛処理具１のグリップ部４の上端部４ａを右手（あるいは左手）の親指１０４と人差し指１０５の間の掌部分に当てた状態にしてグリップ部４の左右部分を親指１０４と人差し指１０５でつまむ。これにより体毛処理具１を安定につまみ持って取り扱うことができる。
【００３１】
このように体毛処理具１を持った状態において、親指１０４と人差し指１０５の先端部分に対応するグリップ部左右部分にそれぞれ設けたスイッチ押し釦（キートップ）６・６の何れか一方又は両方を押した状態にすると体毛処理具１に内蔵させた後述する電気回路基板の電熱線駆動回路がオン状態になり、櫛歯部分３の内側に配設した後述する電熱線２７（図８）に通電されて該電熱線が赤熱状態になる。
【００３２】
そこで、体毛処理具１の櫛歯部分３で体毛をすき揃えながら、櫛歯部分３の櫛歯間に入った体毛に通電赤熱状態の電熱線部分を接触させる。そうすると赤熱状態の電熱線部分に接触した体毛が簡単に焼け切れる。焼け切れた体毛の毛先は刃物で剪断した場合と異なり尖鋭とならず、丸みのあるものとなる。
【００３３】
本実施例の体毛処理具１は、上記のように櫛歯部分３を構成する２枚の櫛歯板部は体毛処理具基体に下側櫛歯板部と上側櫛歯板部として上下に対向してほぼ水平に配置されており、体毛処理具基体は上方に隆起しているグリップ部４を有している形態にしたので、櫛歯部分３の下面、すなわち下側櫛歯板部の下面を全面的に皮膚に容易に密着させて当てて滑らせながら使用することが出来て、体毛のすき揃えがやりやすい。
【００３４】
図４の（ａ）〜（ｆ）はそれぞれ上記体毛処理具１の正面図、右側面図、左側面図、平面図、背面図、底面図である。この体毛処理具１は、図５のように、大きく分けてグリップ部４と回転ヘッド収容ポケット部７とを有する体毛処理具基体８と、後述するように上下２枚の櫛歯板部からなる櫛歯部分３を有する円盤状の回転ヘッド部９とからなる。
【００３５】
回転ヘッド部９は体毛処理具基体８の回転ヘッド収容ポケット部７に対して後半部を挿入して、かつ回転ヘッド部の上面側と下面側の略中央部にそれぞれ上向きと下向きに突出させて具備させた後述する縦軸部３３（３５）を回転ヘッド収容ポケット部の内側の上下面部分にそれぞれ具備させた軸受穴部７ａ・７ｂに嵌入係合させることで縦軸部３３（３５）を中心に体毛処理具基体８に対して回転可能に組み込んである。そして、体毛処理具基体８に対して回転ヘッド部９を手で回転操作して、櫛歯部分３の向きを図６の（ａ）のように前方に向けた０°の回転角度位置から（ｂ）と（ｃ）のように左右に＋４５°〜−４５°の回転角度範囲で任意に角度調節できるようになっている。上記の回転角度範囲は回転ヘッド部９の左または右のストッパー凸部２２ａが回転ヘッド収容ポケット部７の開口部の左または右の縁部７ｃに干渉することによって規制される。上記の回転角度範囲範囲において調節した回転ヘッド部９の回転角は後述するＯリング３７と回転ヘッド収容ポケット部７の内側面との摩擦によって上記の回転角度範囲内のどの回転角度位置でも安定に保持される。このように櫛歯部分３を含む回転ヘッド部９を体毛処理具基体８に対して回転して櫛歯部分３の向きを調節できることで、体毛処理具１の使い勝手が向上する。
【００３６】
体毛処理具基体８には電気回路基板等を内蔵させてある。図７はこの体毛処理具基体８の分解斜視図である。１０・１０は左右２つ割りの基体ハウジングである。この２つの基体ハウジング１０・１０を突き合わせて嵌め合い接合や接着剤接合等で結合させることで体毛処理具基体８のグリップ部４と回転ヘッド収容ポケット部７が構成される。１１と１２は第１と第２の２枚の電気回路基板（プリント基板）である。第１の電気回路基板１１は体毛処理具基体８のグリップ部４の内部に固定して配設される縦基板である。第２の電気回路基板１２は体毛処理具基体８の回転ヘッド収容ポケット部７の内部に固定して配設される水平基板である。
【００３７】
第１の電気回路基板１１の上端部には前述した電源アダプター１０１（図３）の出力プラグ１０３が差し込まれる受電ソケット１３を固定して配設してある。また、上下途中部の左右両面部分にはそれぞれマイクロスイッチ１４・１４を固定して配設してある。また、下端部には振動発生手段（バイブレーター）としてのバイブロモーター１５をホルダー１６を介して配設してある。またこのバイブロモーター１５よりも下位の基板最下端部に照明ランプ（例えば、高輝度白色ＬＥＤ）１７を前方に向けて固定して配設して、回転ヘッド部９の内部に臨ませてある。
【００３８】
第２の電気回路基板１２は上記の第１の電気回路基板１１と電気的に回路接続してある。この第２の電気回路基板１２の前縁部は凹弧形状にしてあり、この凹弧形状の前縁部に沿って基板上面側と基板下面側とにそれぞれ半円弧形状の給電用金属摺動面１８・１８を具備させてある。
【００３９】
左右のスイッチ押し釦６・６はそれぞれ左右の基体ハウジング１０・１０に設けた透孔１０ｃ・１０ｃの内側から外側に臨ませてあり、それぞれ第１の電気回路基板１１の左右側に具備させたマイクロスイッチ１４・１４に対応している。スイッチ押し釦６が押されることで対応のマイクロスイッチ１４がオンになり電気回路基板１１の給電回路が閉路される。スイッチ押し釦６の押圧が解除されることでオフになり給電回路が開路される。
【００４０】
図８は回転ヘッド部９の分解斜視図である。回転ヘッド部９は、大きく分けて、円盤状の下側ハウジング２１と、円盤状の上側ハウジング２２と、下側ハウジング２１の下面側に対して着脱可能な下側櫛歯板部２３等からなる。上側ハウジング２２には上側櫛歯板部２４を形成具備させてある。
【００４１】
ここで、基体ハウジング１０・１０、回転ヘッド部９の下側ハウジング２１と上側ハウジング２２、保護キャップ２は、例えばＡＢＳ樹脂、ポリカーボネート樹脂、デルリン樹脂等の耐熱性樹脂材料のモールド成形品である。
【００４２】
下側ハウジング２１の内側には、左右一対の受電用電極板２５・２５と、電熱線の左右両端部を固定支持する左右一対の電熱線支持用電極板２６・２６と、この左右一対の電熱線支持用電極板２６・２６間に固定支持させた電熱線２７と、電熱線２７に対するテンション付与機構２８とを組付けてある。図９は上記の受電用電極板２５・２５と、電熱線支持用電極板２６・２６と、電熱線２７との分解斜視図である。図１０は上記の電熱線２７に対するテンション付与機構２８の分解斜視図である。
【００４３】
電熱線２７に対するテンション付与機構２８は、下側ハウジング２１内の略中央部においてブラケット２９にて前後方向にスライド移動自由に保持させたステム（支持体）３０と、ブラケット２９に被せてステム３０のブラケット２９からの外れを防ぐステムキャリア（カバー部材）３１と、ステム３０を中にして電熱線２７側とは反対側において左右の両端部を下側ハウジング２１内の掛止部に２１ａ・２１ａに掛止させたバネ部材としてのピアノ線３２と、からなる。
【００４４】
そして、ステム３０の先端側の凹部３０ａに電熱線２７の長手中央部を引っ掛け、またステム３０の後端側の凹部３０ｂにピアノ線３２の長手中央部を引っ掛けた状態にすることで、ステム３０を電熱線２７とピアノ線３２の間にピアノ線３２の撓み弾性に抗して突っ張り状態にして電熱線２７に対して常にテンションを付与している。
【００４５】
左右一対の受電用電極板２５・２５はそれぞれ前述した第２の電気回路基板１２の基板上面側と基板下面側の半円弧形状の給電用金属摺動面１８・１８（図７）に良好に弾性接触して電気的導通を安定にとる電極板であり、スプリング性に優れた高硬度材質の金属板で作られている。
【００４６】
左右の電熱線支持用電極板２６・２６はそれぞれ上記の左右の受電用電極板２５・２５に一部重ね合わされて下側ハウジング２１に取り付けられている。従って、左右の電熱線支持用電極板２６・２６はそれぞれ左右の受電用電極板２５・２５にと電気的に導通している。
【００４７】
この左右の電熱線支持用電極板２６・２６に対する電熱線２７の左右両端部の固定支持は、左右の電熱線支持用電極板２６・２６にそれぞれ切り起し部（半抜き打ち出し部）２６ａ・２６ａを設け、その各切り起し部２６ａ・２６ａにそれぞれ電熱線２７の左右の端部を挟み込ませて、切り起し部２６ａ・２６ａをカシメる（プッシュバック：上からプレスする）ことで行っている。図１１は切り起し部２６ａの拡大図である。このようにカシメ構造で電熱線２７を電熱線支持用電極板２６・２６に固定支持させるためには、電熱線支持用電極板２６・２６は、或る程度の板厚と、電熱線２７として用いたニクロム線材よりも低い硬度（スプリング性の要求される受電用電極板２５よりも低い硬度）の材質を必要とする。すなわち、電熱線支持用電極板２６・２６は電熱線２７をカシメ止めしたとき、電熱線２７を傷つけることのないような、柔らかな材質、例えば純銅（焼きなまし銅）、或いはアルミニウム材等で作られている。
【００４８】
本実施例では電熱線２７の電熱線支持用電極板２６・２６に対する固定は上記のように切り起し部２６ａ・２６ａに差し込んでカシメる簡単な方法でできるのでコストダウンになる。
【００４９】
３３は上側ハウジング２２の上面中央部に上向きに突出させて具備させた縦軸部、３４はこの縦軸部３３の外回りに同心に形成具備させたＯリング嵌め込み用円溝部である。図１２は下側ハウジング２１の下面図であり、３５はこの下側ハウジング２１の下面中央部に下向きに突出させて具備させた縦軸部、３６はこの縦軸部３５の外回りに同心に形成具備させたＯリング嵌め込み用円溝部である。
【００５０】
そして、内側に上記のような諸部品２５〜３２を組み込込んだ下側ハウジング２１に上側ハウジング２２を突き合わせて嵌め合い接合や接着剤接合等で結合させる。下側ハウジング２１の下面側に下側櫛歯板部２３を装着する。上側ハウジング２２の上面中央部と下側ハウジング２２の下面中央部のＯリング嵌め込み用円溝部３４・３６にそれぞれゴム・樹脂等の弾性Ｏリング３７を嵌め込む。これにより、円盤状の回転ヘッド部９が構成される。上側ハウジング２２側の縦軸部３３と下側ハウジング２１側の縦軸部３５は同一の縦軸線上に位置している。
【００５１】
回転ヘッド部９の櫛歯部３は、図１３のように、上側ハウジング２２側の上側櫛歯板部２４と下側ハウジング２１側の下側櫛歯板部２３の上下２枚の櫛歯板部で構成されている。その上下２枚の櫛歯板部の間隔は例えば５〜１２ｍｍ位に設定される。電熱線２７はこの２枚の櫛歯板部２３・２４の間の櫛歯基部寄りに位置している。電熱線２７と下側櫛歯板部２３の内面との間隔は例えば約２〜６ｍｍに設定される。
【００５２】
そして上記のように組み立てられた円盤状の回転ヘッド部９の櫛歯部３側とは反対側の後半部を体毛処理具基体８の回転ヘッド収容ポケット部７に対して挿入して、かつ回転ヘッド部の上面側と下面側の略中央部にそれぞれ上向きと下向きに突出させて具備させた縦軸部３３・３５を回転ヘッド収容ポケット部の内側の上下面部分にそれぞれ具備させた軸受穴部７ａ・７ｂ（図５）に嵌入係合させることで縦軸部３３・３５を中心に回転可能に組み込む。
【００５３】
この回転ヘッド部９の回転ヘッド収容ポケット部７に対する挿入組み込みにより、回転ヘッド部９側の左右一対の受電用電極板２５・２５の後端側のコンタクター（接触摺動子）２５ａ・２５ａが、図１４のように、それぞれ回転ヘッド収容ポケット部７の内部に配設してある第２の電気回路基板１２の凹弧形状前縁部に沿って基板上面側と基板下面側に形成してある半円弧形状の給電用金属摺動面１８・１８に弾性的に接触状態になり、このコンタクター２５ａ・２５ａと給電用導電パターン部１８・１８とでスリップリング機構を構成する。このスリップリング機構により、回転ヘッド部９が回転操作されても第２の電気回路基板１２側の給電回路と回転ヘッド部９側の電熱線２７に対する給電回路との電気的接続状態が安定に保たれる。
【００５４】
回転ヘッド部９が回転ヘッド収容ポケット部７に対して縦軸部３３・３５を中心に回転可能に組み込まれた状態において、回転ヘッド部９の上面側と下面側のＯリング３７がそれぞれ回転ヘッド収容ポケット部７の内側面に摩擦接触した状態になる。そのＯリング３７の摩擦接触により、回転ヘッド部９は前記回転角度範囲内（図６）のどの回転角度位置でも安定に保持される。このように櫛歯部分３を含む回転ヘッド部９を体毛処理具基体８に対して回転して櫛歯部分の向きを調節できることで、体毛処理具の使い勝手が向上する。
【００５５】
図１５は電気回路系統のブロック図である。１００は商用交流電源である。前述したようにこの商用交流電源から電源アダプター１０１、出力コード１０２、出力プラグ１０３、受電ソケット１３を介して、体毛処理具１の電気回路に所定の電圧に降下されたＡＣ−ＤＣ変換電力の給電がなされる。
【００５６】
５１・５２・５３・５４は体毛処理具１に内蔵させた電気回路基板に具備させた、制御回路、電熱線駆動回路、照明ランプ駆動回路、バイブロモーター駆動回路である。制御回路５１は左右一対のスイッチ押し釦６・６の内の少なくとも１つが押されて対応のマイクロスイッチ１４がオンになることで、電熱線駆動回路５２、照明ランプ駆動回路５３、バイブロモーター駆動回路５４をオンにする。また制御回路５１のタイマー機能部が作動をスタートする。
【００５７】
電熱線駆動回路５２のオンにより電熱線２７に通電がなされて電熱線２７が赤熱状態になる。照明ランプ駆動回路５３のオンにより照明ランプ１７が点灯状態になる。またバイブロモーター駆動回路５４のオンによりバイブロモーター１５が駆動状態になる。
【００５８】
照明ランプ１７の点灯によりその光が回転ヘッド９の内部を通って櫛歯部３の上下２枚の櫛歯板部２４・２３の内部を明るく照明する。また上下２枚の櫛歯板部２４・２３の間から回転ヘッド９の外部に出光する。図３においてＬは上下２枚の櫛歯板部２４・２３の間から回転ヘッド９の外部に出光した照明光を示している。
【００５９】
そのため、櫛歯部分３で体毛をすき揃えながら、櫛歯部分３の櫛歯間に入った体毛に通電赤熱状態の電熱線部分を接触させて切断する動作を明るい照明のもとで行うことができる。現状のものは櫛歯内部が暗く、しかも切断時に室内照明を自身の影で遮蔽してしまう場合が多く、切断動作がやりにくいことがあったが、上記のように櫛歯板部内外を照明する照明ランプ１７を具備させることで使い勝手を向上させることができた。
【００６０】
照明ランプ１７はパイロットランプを兼ねており、その点灯により、櫛歯部分３の内外が明るく照明されることで、電熱線２７に対して通電がされていることを認識できる。
【００６１】
また、バイブロモーター５４の駆動により体毛処理具１に振動が与えられる。現状の体毛処理具の場合は、体毛を切断するとき、大多数のユーザーは体毛を指で引き、テンションを掛けながら電熱線を当てて切っている。この場合は切断された毛先は丸みが乏しいものになりやすい。理想的には体毛にテンションをかけずに、すなわち電熱線を当てるだけで焼き切ることが望ましい。本実施例のように体毛処理具１に振動を与えることで、櫛歯部分３ですき揃えられた体毛に微細な振動を与えて、テンションを軽減して体毛の切断面を可能な限り丸くすることができる。また櫛歯部分３の振動で体毛も振動して櫛歯部分３での体毛のすき揃えがやりやすくなる。テストの結果、体毛処理具１に与える振動は携帯電話機のバイブレーション程度のもので充分である。
【００６２】
また本実施例の体毛処理具１は、前記電熱線２７に対する通電回路がスイッチのオンによりオンされ、そのスイッチ−オン状態が保たれていても、スイッチ−オンから所定のタイマー時間経過後は前記電熱線に対する通電を遮断するタイマー機能を具備させている。すなわち、制御回路５１は、マイクロスイッチ１４のオンによりタイマー機能部が計時作動をスタートした後、マイクロスイッチ１４がそのままオンされ続けてタイマー機能部が本実施例ではタイマー時間約３０ｓｅｃ計時した時に、マイクロスイッチ１４が引き続きオンであっても、一旦、電熱線駆動回路５２、照明ランプ駆動回路５３、バイブロモーター駆動回路５４の駆動をオフにする。これにより、電熱線２７に連続的に通電がなされることによる過熱トラブルを回避するようにしている。照明ランプ１７が消灯し、またバイブロモーター１５の駆動による振動も止まることにより、タイマー機能が働いたことが認識される。再度スイッチ押し釦６を押してマイクロスイッチ１４がオンされるとタイマー機能部がリセットされて、再び、電熱線駆動回路５２、照明ランプ駆動回路５３、バイブロモーター駆動回路５４がオンされる。マイクロスイッチ１４のオンによりタイマー機能部が計時作動をスタートした後、約３０ｓｅｃ以内でマイクロスイッチ１４がオフされたときは、制御回路５１は、そのオフの時点で電熱線駆動回路５２、照明ランプ駆動回路５３、バイブロモーター駆動回路５４の駆動をオフにする。
【００６３】
バイブレーション機能は、それを使用する場合と、使用しない場合とを選択スイッチ５５で選択できるようにした構成にすることもできる。
【００６４】
電熱線２７はニクロク線を使用することができる。本実施例においては赤熱状態（４００℃）における熱膨張タルミが少ない比較的太いもの（例えば、φ０．２〜０．３２ｍｍ）を用いている。太いものを用いることで断線トラブルも排除できる。
【００６５】
電熱線２７を通電加熱した場合、長さが同じなら膨張も同じとなり、線径が太くともタルミは生じる。このタルミ接近で櫛歯の熱変形を除去するために、本実施例においては、前記（図８・図１０）のように、電熱線２７にステム３０を設けている。ステム３０はステンレス板材プレス抜きとし、一方ピアノ線３２を併用してバネ性を持たせ、万一タルミを生じても、櫛歯内部に接触することのないよう、前方に押す事によって、内部において下櫛歯との距離を保たせている。このように電熱線２７として比較的太いものを用い、かつステムを中間に設けてタルミを最小限に押さえ、結果として自動的に張力を与えるような自己緊張式の機構の付加をやめて固定式とし、製造ラインの合理化とコスト低減を実現している。
【００６６】
また本実施例の体毛処理具１は、櫛歯部分３の内外の切断くずの清掃のため、回転ヘッド部９の下側櫛歯板部２３は回転ヘッド部９の下側ハウジング２１の下面側に着脱自在の部材にしてある。外すと電熱線部分が露出するので、付属のブラシなどで電熱線部分、上側櫛歯板部２４、下側櫛歯板部２３を充分に清掃することが可能となる。外した下側櫛歯板部２３は水洗いも可能である。
【００６７】
図１６の（ａ）は下側櫛歯板部２３の内面側の平面図、（ｂ）は外面側の平面図である。この下側櫛歯板部２３はアルミニウムのダイキャスト製である。また下側櫛歯板部２３の内面側には放熱フィンを付け、出来るだけ放熱能力を高める。
【００６８】
下側ハウジング２１に対する下側櫛歯板部２３の装着は、この下側櫛歯板部２３の左右の係合サイド部２３ｂ・２３ｂを下側ハウジング２１側の係合ガイド縁２１ｂ・２１ｂに合致係合させて下側櫛歯板部２３を後方にスライド移動させる。充分に後方にスライド移動させることで、下側櫛歯板部２３側の係合凹部２３ｃが下側ハウジング２１側の係合凸部２１ｃに係合して抜け止めされる。
【００６９】
逆に、前方にスライド移動させることで、上記の係合凹部２３ｃと係合凸部２１ｃの係
合が外れて下側櫛歯板部２３を下側ハウジング２１から抜き外すことができる。上記の下
側櫛歯板部２３のスライド移動操作のために下側櫛歯板部２３の外面側には指の滑り止め
粗面部２３ｄを設けている。
【００７０】
上記実施例の体毛処理具１においては、下側櫛歯板部２３側の櫛歯の密度は上側櫛歯板部２４の櫛歯の密度よりも粗くしているが、図１７・図１８のように、下側櫛歯板部２３側の櫛歯の密度は、上側櫛歯板部２４の櫛歯の密度と同じ密の櫛歯配列密度のものにしてもよいことは勿論である。
【００７１】
また、上記実施例の体毛処理具１においては、下側櫛歯板部２３側の櫛歯の形状と上側櫛歯板部２４の櫛歯の形状を異ならせているが、図１９のように、下側櫛歯板部２３側の櫛歯の形状と上側櫛歯板部２４側の櫛歯の形状を略対称形状のものにしてもよいことは勿論である。
【００７２】
体毛処理具１の櫛歯部分３の内部と前方を照明する照明ランプ（照明手段）１７は回転ヘッド部９の内部に具備させる構成にすることも出来る。
【００７３】
図２０・図２１はその例を示すものである。本例においては、回転ヘッド部９の内部であって、櫛歯部分３の両脇部分にそれぞれ照明ランプ（例えば、高輝度白色ＬＥＤ）１７・１７を配設している。この照明ランプ１７・１７が点灯されることで、櫛歯部分３の上下２枚の櫛歯板部２４・２３の内部が明るく照明される。また、上下２枚の櫛歯板部２４・２３の間から回転ヘッド９の外部に出光する。また回転ヘッド部９の上側ハウジング２２には、櫛歯板部２４の両脇部分に、各照明ランプ１７・１７の前面に対応させて小窓部２２ｂ・２２ｂを設けてあり、その小窓部２２ｂ・２２ｂからも回転ヘッド９の外部に出光する。したがって、体毛処理具１の櫛歯部分３の内部と前方が照明される。Ｌは前方照明光を示している。図２１において、４０は上記の照明ランプ１７・１７を具備させたプリント基板である。この基板４０は回転ヘッド部９の下側ハウジング２１に組付けられる。そして組みつけられた状態において、基板４０側の電気接点４０ａ・４０ａが前述の電熱線支持用電極板２６・２６に設けた接点２６ｂ・２６ｂに弾性的に接触して基板４０が電熱線支持用電極板２６・２６と電気的に導通状態になる。これにより、前記のように電熱線２７に通電されたとき、照明ランプ１７・１７にも通電がなされる。
【００７４】
また回転ヘッド部９の上側ハウジング２２の上面に、櫛歯部分３の内部と前方を照明するように外部配置で具備させる構成にすることも出来る。
【００７５】
振動は体毛処理具１の少なくとも櫛歯部分３に与えられればよく、バイブロモーター（振動発生手段）１５は回転ヘッド部９に内蔵させることもできる。また体毛処理具１に対して外部配置で具備させる構成にすることも出来る。
【００７６】
実施例の体毛処理具１は、商用交流電源を利用し、商用交流電源と体毛処理具１とを電源アダプター１０１を介してコード接続して体毛処理具１に給電する外部電源方式としているが、乾電池や充電式バッテリーを内蔵させた外部電源方式として構成することもできる。
【００７７】
上記の実施例の体毛処理具は下側櫛歯板部２３を着脱自在としたが、上側櫛歯板部２４を着脱自在とした構成にすることもできる。下側櫛歯板部２３と上側櫛歯板部２４の両方をそれぞれ着脱自在とした構成にすることもできる。
【図面の簡単な説明】
【００７８】
【図１】保護キャップを装着した状態の体毛処理具の外観斜視図
【図２】体毛処理具から保護キャップを外した状態の図
【図３】体毛処理具の使用要領の説明図
【図４】（ａ）〜（ｆ）は体毛処理具の、正面図、右側面図、左側面図、平面図、背面図、底面図
【図５】体毛処理具の基体部分と回転ヘッド部の分解斜視図
【図６】回転ヘッド部の回転角度範囲の説明図
【図７】体毛処理具の基体部分の分解斜視図
【図８】体毛処理具の回転ヘッド部の分解斜視図
【図９】受電用電極板−電熱線支持用電極板−電熱線部分の分解斜視図
【図１０】電熱線に対するテンション付与機構部分の分解斜視図
【図１１】電熱線支持用電極板に対する電熱線の固定要領の説明図
【図１２】回転ヘッド部の下側ハウジングの外面側の平面図
【図１３】回転ヘッド部の櫛歯部分の断面模型図
【図１４】回転ヘッド部−第２の電気回路基板間のスリップリング機構を示した斜視図
【図１５】電気回路系統のブロック図
【図１６】（ａ）と（ｂ）は下側櫛歯板部の内面側の平面図と外面側の平面図
【図１７】（ａ）と（ｂ）は櫛歯配列密度を密にした下側櫛歯板部の内面側の平面図と外面側の平面図
【図１８】櫛歯配列密度を密にした下側櫛歯板部の斜視図
【図１９】下側櫛歯板部側の櫛歯の形状と上側櫛歯板部側の櫛歯の形状を対称形状にした例の櫛歯部分の断面模型図
【図２０】櫛歯部分の内部と前方を照明する照明ランプを回転ヘッド部の内部に具備させた構成の体毛処理具の斜視図
【図２１】照明ランプを内部に具備させた回転ヘッド部の分解斜視図
【符号の説明】
【００７９】
１：体毛処理具、２：保護キャップ、３：櫛歯部分、４：グリップ部、６：スイッチ押
し釦、９：回転ヘッド部、１５：バイブロモーター（振動発生手段）、１７：照明ランプ
、２７：電熱線
【図８】
2006068484.tif 000003
【図１】
2006068484.tif 000004
【図２】
2006068484.tif 000005
【図３】
2006068484.tif 000006
【図４】
2006068484.tif 000007
【図５】
2006068484.tif 000008
【図６】
2006068484.tif 000009
【図７】
2006068484.tif 000010
【図９】
2006068484.tif 000011
【図１０】
2006068484.tif 000012
【図１１】
2006068484.tif 000013
【図１２】
2006068484.tif 000014
【図１３】
2006068484.tif 000015
【図１４】
2006068484.tif 000016
【図１５】
2006068484.tif 000017
【図１６】
2006068484.tif 000018
【図１７】
2006068484.tif 000019
【図１８】
2006068484.tif 000020
【図１９】
2006068484.tif 000021
【図２０】
2006068484.tif 000022
【図２１】
2006068484.tif 000023